(57)【要約】【課題】  吸引機構付きバリカンを提供する。【解決手段】  バリカン10において、カッター21近傍から筐体20外周に沿って後方へと延びる吸引空間11bを形成する吸引カバー11と、筐体内部に配置されかつ筐体20背面から排気する吸引器12と、筐体内部に配置されかつ吸引カバーの後部と連通する第１開口14並びにフィルタを介して吸引器と連通する第２開口16を具備する毛髪蓄積容器15とを有し、毛髪蓄積容器15は筐体側面から取り外し可能であることを特徴とする。【選択図】  図１
2005081086.tif 000002
【特許請求の範囲】
【請求項１】
筐体と、該筐体前面に設けたカッターと、該カッターの駆動部を具備するバリカンにおいて、
前記カッター近傍から前記筐体外周に沿って後方へと延びる吸引空間を形成する吸引カバーと、
前記筐体内部に配置されかつ前記筐体背面から排気する吸引器と、
前記筐体内部に配置されかつ前記吸引カバーの後部と連通する第１開口並びにフィルタを介して前記吸引器と連通する第２開口を具備する毛髪蓄積容器とを有し、
前記毛髪蓄積容器は前記筐体側面から取り外し可能であることを特徴とする
バリカン。
【請求項２】
前記毛髪蓄積容器の前記第１開口に逆流防止手段を設けたことを特徴とする請求項１に記載のバリカン。
【請求項３】
前記吸引空間に複数の回転刃を並設したことを特徴とする請求項１又は２に記載のバリカン。
【請求項４】
前記吸引カバーの先端部に櫛歯を設けたことを特徴とする請求項１〜３のいずれかに記載のバリカン。
【発明の詳細な説明】
【技術分野】
【０００１】
本発明は、バリカンに関し、特に、刈り取った毛髪の処理手段を具備するバリカンに関する。
【背景技術】
【０００２】
バリカン（電動バリカン）は、一般的に、略直方形状の筐体の前面に上下カッターを含むカッター部を設けている。上下カッターは相対的に往復運動することにより毛髪を切断する。バリカンは通常、対象とする頭皮に当てて下から上へカッター部を移動させることにより毛髪を切断するので、刈られた毛髪はバリカンの表面側すなわち上側へと押しやられた後、落下する。その他、バリカン筐体内には、カッターを駆動するモータを具備する駆動部、駆動部からの動力をカッターに伝達する駆動伝達部、駆動部の電源を供給する外部電源接続部、並びにスイッチ機構等が配置される。筐体外周には、オンオフ用のスイッチ及び外部電源接続端子等が配置される。また、切断する毛髪の長さを調節するために、カッター部に櫛歯を具備するアタッチメントを取り付けたものもある。このような、一般的なバリカンは周知であり、例えば、特許文献１等がある。
【特許文献１】特開平８−１７３６５１号公報
【発明の開示】
【発明が解決しようとする課題】
【０００３】
上記の通り、従来のバリカンでは、刈られた毛髪がそのまま落下して、散髪をする人及びされている人の上にも、床にも散乱する。このために、頻繁に衣服から毛髪を払い落としたり、掃除をしたりする必要があり、不衛生であると同時に不快でもあった。
【０００４】
斯かる問題点に鑑み、本発明の目的は、バリカンにより刈られた毛髪が散乱することなく、かつ毛髪の後始末が容易なバリカンを提供することである。
【課題を解決するための手段】
【０００５】
上記の目的を達成すべく、本発明によるバリカンは、以下の構成を有する。
【０００６】
（１）請求項１に係るバリカンは、筐体と、該筐体前面に設けたカッターと、該カッターの駆動部を具備するバリカンであって、前記カッター近傍から前記筐体外周に沿って後方へと延びる吸引空間を形成する吸引カバーと、前記筐体内部に配置されかつ前記筐体背面から排気する吸引器と、前記筐体内部に配置されかつ前記吸引カバーの後部と連通する第１開口並びにフィルタを介して前記吸引器と連通する第２開口を具備する毛髪蓄積容器とを有し、前記毛髪蓄積容器は前記筐体側面から取り外し可能であることを特徴とする。
【０００７】
（２）請求項２に係るバリカンは、請求項１において、前記毛髪蓄積容器の前記第１開口に逆流防止手段を設けたことを特徴とする。
【０００８】
（３）請求項３に係るバリカンは、請求項１又は２において、前記吸引空間に複数の回転刃を並設したことを特徴とする。
【０００９】
（４）請求項４に係るバリカンは、請求項１〜３のいずれかにおいて、前記吸引カバーの先端部に櫛歯を設けたことを特徴とするン。
【発明の効果】
【００１０】
請求項１に係るバリカンにおいては、カッターにより切断された毛髪が、吸引器により発生する吸気の流れにより、カッター近傍の吸引カバー入口から吸引され、吸引空間を通って毛髪蓄積容器の中へ回収される。毛髪蓄積容器は、筐体の側面から取り外し可能であり、例えば引き出し状の箱で形成されており、使用後に毛髪蓄積容器を取り外し、その中に蓄積された毛髪を捨てることができる。これにより、毛髪が不用意に周囲に散乱することが避けられ、衛生的であると同時に快適に使用することができる。
【００１１】
請求項２に係るバリカンにおいては、毛髪蓄積容器の第１開口に、毛髪の逆流防止手段を設けている。例えば、容器内へのみ開くことができる蓋である。簡単な構造では、菊割ゴムでもよい。これにより、毛髪が毛髪蓄積容器から吸引空間へ逆流することが避けられる。
【００１２】
請求項３に係るバリカンにおいては、吸引空間に複数の回転刃を並設している。刈られた毛髪は、数cm程度の長さの場合もあるため、これを吸引空間内で回転刃により短く切断する。これにより、毛髪蓄積容器の第１開口に引っ掛かることなく円滑に吸引される。また、短く切断することにより全体の嵩も小さくなるので毛髪蓄積容器内により多くの毛髪を蓄積することもできるようになる。
【００１３】
請求項４に係るバリカンにおいては、吸引カバーの先端部に櫛歯を設けたので、これにより頭皮とカッター部との距離を規定し、残す毛髪の長さを調節できる。櫛歯用のアタッチメントを別に取り付ける必要がなく、部品数を減らすことができる。
【００１４】
本発明では、毛髪蓄積容器をバリカン筐体内に収容したことから、全体としてコンパクトな吸引式バリカンを実現した。このようなコンパクトな吸引式バリカンは、特に部分的な散髪に有効である。
【発明を実施するための最良の形態】
【００１５】
以下、実施例を示した図面を参照しつつ本発明の実施の形態を説明する。
図１は、本発明によるバリカンの一実施例の概略的な側面透視図である。通常、バリカン１０は、略直方形状の筐体２０を有する。図１では、筐体２０内部の構成要素を点線で示している。図１では、図中左側をバリカン１０の前側とし、図中右側をバリカン１０の後側とする。筐体２０の前面にカッターを含むカッター部２１を設けている。カッター部２１は、従来通りであり、複数の刃を並設した上下カッターで構成される。散髪を行う場合は、カッター部２１を対象とする頭皮上に当てて下から上へ移動させることにより、カッターに当たる毛髪が切断される。切断された直後の毛髪は、カッター部２１の上方に存在することとなる。
【００１６】
カッター部２１は、駆動伝達部２２を介してカッターを駆動するモータを具備する駆動部２３と連結されている。カッターの動作は、駆動部２３からの動力をカッター部２１に伝達する駆動伝達部２２の動作により実現される。これらの機構は従来通りである。筐体２０内には、駆動部２３と外部電源接続部２５とを接続する配線２４が設けられている。外部電源接続部２５から筐体２０の外部へ電源コート２６が接続され、商用電源が供給される。筐体２０の外周上には、バリカン１０のオンオフのためのスイッチ（図示せず）が設けられる。
【００１７】
本発明のバリカン１０においては、筐体２０内のほぼ中央に毛髪蓄積容器１５が設けられる。毛髪蓄積容器１５は、本実施例では、略直方形状の箱の形態である。毛髪蓄積容器１５の上壁には第１開口１４が穿設され、後壁には第２開口１６が穿設されている。図示の例では、第１開口１４及び第２開口１６はいずれも円形開口である。さらに、第２開口１６には、毛髪を通さず空気のみを通すフィルタが設けられている。このフィルタを介して、毛髪蓄積容器１５の後側には吸引器１２が設けられる。吸引器１２は、やはり外部電源接続部２５から電源を供給されるモータを含み、そのモータにより適宜の送風機構を駆動することにより毛髪蓄積容器１５から吸気を行う。また、吸引器１２の排気口１３は、筐体２０の背面に開口している。
【００１８】
毛髪蓄積容器１５は、筐体２０の側面から取り外し可能となっており、図１における手前側へ引き出すことにより取り外すことができる。尚、取り外しのための取っ手１５ａを設けると便利である。取っ手１５ａの形状は特定しないが、例えば、筐体２０の側面から突出することなく、かつ、指先の一部を引っかけられる凹部を設けることが好ましい。あるいは、別の実施例として、毛髪蓄積容器１５が筐体２０の両側面に跨って設けられる。そして、取り外す際は、一方の側面から毛髪蓄積容器１５を押して、反対側の側面へ突出させると取り出すことができる。
【００１９】
さらに、カッター近傍から筐体２０の上面外周に沿って後方へと延びる吸引カバー１１が設けられる。吸引カバー１１の内部は、トンネル状の吸引空間１１ｂを形成している。吸引空間１１ｂは、刈られた毛髪を吸引する際の誘導経路となる。吸引カバー１１の後端部は、毛髪蓄積容器１５の第１開口１４と連通している。好適には、吸引カバー１１は、掃除等の手入れのために筐体２０から取り外し可能とする。
【００２０】
また、任意であるが、吸引カバー１１の先端部には、カッター部２１より下方において櫛歯１１ａを設けてもよい。この櫛歯１１ａは、残す毛髪の長さを調節するためのものであり、櫛歯１１ａの長さにより頭皮とカッター部２１との間の距離を規定する。このように、吸引カバー１１が櫛歯１１ａを含むことにより、櫛歯を別のアタッチメントとして取り付ける必要がなくなり、部品数を減らせる。
【００２１】
従って、吸引器１２が稼働することにより、カッター部２１の上方に蓄積した毛髪は、吸引カバー１１の吸引空間１１ｂを通って毛髪蓄積容器１５内へと吸引される。図中、破線矢印は、毛髪の誘導経路を示す。こうして、毛髪蓄積容器１５内に毛髪が蓄積される。
【００２２】
図２は、図１に示したバリカンの概略的な平面透視図である。図示の通り、吸引カバー１１は、筐体２０のほぼ前半部を覆うように取り付けられている。筐体２０の上面には、毛髪蓄積容器の第１開口１４がある。この第１開口１４には、逆流防止手段が設けられていることが好適である。例えば、毛髪蓄積容器１５内の方向のみに開く片開き弁等の逆止弁である。あるいは、簡単な構造としては菊割ゴムでもよい。このような逆流防止手段は、吸引器１２が稼働しているときには開き、吸引器１２が稼働していないときには閉じている。これにより、毛髪が毛髪蓄積容器１５から吸引カバー１１へ逆流したり漏れ出したりすることが避けられる。
【００２３】
図３は、図１に示したバリカンの前面透視図である。櫛歯１１ａは、図示のように吸引カバー１１の先端部に設けられている。この櫛歯１１ａの隙間を通り抜けた毛髪がカッター部２１に当たり、切断される。右の矢印及び右図は、毛髪蓄積容器１５を側面から引き出した状態を模式的に示している。毛髪蓄積容器１５の上面には、開閉自在の蓋を設けてもよい。毛髪蓄積容器１５を取り出した後、内部に蓄積された毛髪を捨て、その後再び毛髪蓄積容器１５を筐体２０にセットする。毛髪蓄積容器１５の第２開口１６には、フィルタが設けられている。
【００２４】
図４（Ａ）は、本発明のバリカンの別の実施例を示す概略的な側面透視図である。本実施例では、吸引カバー１１の吸引空間１１ｂに複数の回転刃１９が並設されている点が、前述の実施例と相違する。図４（Ｂ）は、回転刃１９の一実施例の概略的な外観図である。回転刃１９は、回転軸部１９ｂに沿って等間隔に並設された複数の円盤状の刃１９ａを具備しており、回転軸部１９ｂが回転することにより刃１９ａが毛髪を切断することができる。回転刃１９の回転駆動は、カッター部２１を駆動する駆動部２３が兼ねることもでき、また別の駆動部を設けてもよい。いずれにしてもカッター部２１及び吸引器１２の駆動と連動して、回転刃１９が回転駆動される。
【００２５】
回転刃１９は図示のように吸引空間１１ｂ内に幅全体及び高さ全体に亘るような大きさで配置されている。従って、カッター部２１の上部から飛んできた毛髪は、この回転刃１９によりさらに細かい断片に切断された後、後方に吸引されていき、毛髪蓄積容器１５内へ蓄積される。刈られた毛髪は、通常、数cm程度の長さのこともあり、毛髪蓄積容器１５の第１開口１４に引っ掛かり、容器内へ回収されないおそれもある。従って、短く切断することにより引っ掛かることなく容器内へ回収される。またさらに、毛髪が短く切断することにより、実質的に嵩が少なくなるため、より多くの毛髪を毛髪蓄積容器内へ蓄積することができる。
【図面の簡単な説明】
【００２６】
【図１】本発明によるバリカンの一実施例の概略的な側面透視図である。
【図２】本発明によるバリカンの一実施例の概略的な平面透視図である。
【図３】本発明によるバリカンの一実施例の概略的な前面透視図である。
【図４】（Ａ）は、本発明のバリカンの別の実施例を示す概略的な側面透視図である。（Ｂ）は、回転刃の外観図である。
【符号の説明】
【００２７】
１０  バリカン
１１  吸引カバー
１１ａ  吸引口
１１ｂ  吸引空間
１２  吸引器
１３  排気口
１４  第１開口
１５  蓄積容器
１６  フィルタ付第２開口
１９  回転刃
２０  筐体
２１  カッター
２２  駆動伝達部
２３  カッター駆動部
２４  配線
２５  外部電源接続部
２６  電源コード
【図１】
2005081086.tif 000003
【図２】
2005081086.tif 000004
【図３】
2005081086.tif 000005
【図４】
2005081086.tif 000006